(57)【要約】【課題】カバーを形成する材料の削減を図り、かつカバーの外表面に文字や図柄等を容易に付すことができる。【解決手段】噴出器本体１１と、この噴出器本体１１の前端に設けられたノズル１２と、噴出器本体１１を覆うカバー１３と、が備えられ、カバー１３は、噴出器本体１１の両側部を覆う一対の第１側板２１と、これらの第１側板２１を連結し噴出器本体１１の頂部を覆う第１上板２２と、を備え、これらの一対の第１側板２１と第１上板２２とは、平板が折り曲げられることにより区画されている。【選択図】図１
2008272633.tif 000002
【特許請求の範囲】
【請求項１】
噴出器本体と、この噴出器本体の前端に設けられたノズルと、前記噴出器本体を覆うカバーと、が備えられるとともに、
前記噴出器本体には、その前部に前後方向に揺動可能に垂設された操作レバーと、この操作レバーの前後動に伴って作動される往復ポンプと、後端に上下方向に沿って延設された吸い上げ筒部と、が備えられ、
前記往復ポンプの作動に伴って容器内から吸い上げられた内容液が前記吸い上げ筒部内を通って前記ノズルに至るトリガー式液体噴出器であって、
前記カバーは、前記噴出器本体の両側部を覆う一対の第１側板と、これらの第１側板を連結し前記噴出器本体の頂部を覆う第１上板と、を備え、これらの一対の第１側板と第１上板とは、平板が折り曲げられることにより区画されていることを特徴とするトリガー式液体噴出器。
【請求項２】
請求項１記載のトリガー式液体噴出器であって、
前記ノズルの両側部を覆う一対の第２側板と、これらの第２側板を連結し前記ノズルの頂部を覆う第２上板と、を備えるノズルカバーが設けられ、
このノズルカバーの後端と前記カバーの前端とは破断可能な弱化部を介して連結されるとともに、前記ノズルはノズル孔の開位置と閉位置との間を前記噴出器本体に対して移動可能に設けられ、
前記一対の第１側板および一対の第２側板と、前記第１上板および第２上板とは、平板が折り曲げられることにより区画されていることを特徴とするトリガー式液体噴出器。
【請求項３】
請求項１または２に記載のトリガー式液体噴出器であって、
前記一対の第１側板および第１上板それぞれの前後方向における各長さは、この噴出器本体の前後方向における長さより短くされ、これらの第１側板および第１上板の各後端は、前記吸い上げ筒部の外周面のうち前記噴出器本体の前後方向における後端縁よりも前側に位置されていることを特徴とするトリガー式液体噴出器。
【請求項４】
請求項１から３のいずれかに記載のトリガー式液体噴出器であって、
前記一対の第１側板における各後端には、互いが対向する方向に向けて一対の後板が突設され、
これらの後板、前記一対の第１側板および第１上板は、平板が折り曲げられることにより区画されていることを特徴とするトリガー式液体噴出器。
【発明の詳細な説明】
【技術分野】
【０００１】
本発明はトリガー式液体噴出器に関するものである。
【背景技術】
【０００２】
この種のトリガー式液体噴出器として、例えば下記特許文献１に示されるような、噴出器本体と、この噴出器本体の前端に設けられたノズルと、噴出器本体を覆うカバーと、が備えられた構成が知られている。このうちカバーによって、トリガー式液体噴出器に作用する外力が、噴出器本体に備えられた例えば往復ポンプや操作レバー等の各作動機構に伝達するのを抑制したり、あるいは外観に特徴を持たせて商品識別力を付与したりしている。
このカバーは、インジェクション成形で一旦最終形状に成形された後に、例えば外観に更なる特徴を持たせる等のために、その外表面に印刷等により文字や図柄等が付されることがある。
【特許文献１】特開２００６−８８００８号公報
【発明の開示】
【発明が解決しようとする課題】
【０００３】
しかしながら、前記従来のトリガー式液体噴出器では、前記カバーが、例えばその後部が噴出器本体よりも後方に大きく張り出した状態で噴出器本体の全体を覆う等、カバーの形状が複雑であったため、このカバーを形成する材料の使用量が多く、トリガー式液体噴出器の高コストを招くおそれがあった。また、前述の最終形状に成形された成形体の外表面に文字や図柄等が付されていたので、この工程に時間や手間がかかり、トリガー式液体噴出器の低コスト化を図るのが困難であるという問題もあった。
【０００４】
本発明は、このような事情を考慮してなされたもので、カバーを形成する材料の削減を図り、かつカバーの外表面に文字や図柄等を容易に付すことができるトリガー式液体噴出器を提供することを目的とする。
【課題を解決するための手段】
【０００５】
上記課題を解決して、このような目的を達成するために、本発明のトリガー式液体噴出器は、噴出器本体と、この噴出器本体の前端に設けられたノズルと、前記噴出器本体を覆うカバーと、が備えられるとともに、前記噴出器本体には、その前部に前後方向に揺動可能に垂設された操作レバーと、この操作レバーの前後動に伴って作動される往復ポンプと、後端に上下方向に沿って延設された吸い上げ筒部と、が備えられ、前記往復ポンプの作動に伴って容器内から吸い上げられた内容液が前記吸い上げ筒部内を通って前記ノズルに至るトリガー式液体噴出器であって、前記カバーは、前記噴出器本体の両側部を覆う一対の第１側板と、これらの第１側板を連結し前記噴出器本体の頂部を覆う第１上板と、を備え、これらの一対の第１側板と第１上板とは、平板が折り曲げられることにより区画されていることを特徴とする。
この発明では、平板が折り曲げられることにより一対の第１側板と第１上板とが区画されて前記カバーが形成されているので、このカバーの形状を単純化することが可能になり、カバーを形成する材料の使用量を削減することができるとともに、折り曲げる前の平坦な平板の表面に文字や図柄等を付すことが可能になり、この工程に時間や手間がかかるのを抑制することもできる。
以上より、トリガー式液体噴出器の低コスト化を図ることができる。
【０００６】
ここで、前記ノズルの両側部を覆う一対の第２側板と、これらの第２側板を連結し前記ノズルの頂部を覆う第２上板と、を備えるノズルカバーが設けられ、このノズルカバーの後端と前記カバーの前端とは破断可能な弱化部を介して連結されるとともに、前記ノズルはノズル孔の開位置と閉位置との間を前記噴出器本体に対して移動可能に設けられ、前記一対の第１側板および一対の第２側板と、前記第１上板および第２上板とは、平板が折り曲げられることにより区画されてもよい。
この場合、カバーに弱化部を介してノズルカバーが連結されているので、ノズルを、ノズル孔の開口する開位置に向けて噴出器本体に対して移動させたときに、前記弱化部を破断させることが可能になり、このトリガー式液体噴出器に、一度でも開封されたことがあるかどうかについて需要者に容易に判別させるためのいわゆるバージン機能を具備させることができる。
さらに、第１側板および第２側板と、第１上板および第２上板とが、平板が折り曲げられることにより区画されているので、前述と同様にトリガー式液体噴出器の高コスト化を抑えることもできる。
【０００７】
また、前記一対の第１側板および第１上板それぞれの前後方向における各長さは、この噴出器本体の前後方向における長さより短くされ、これらの第１側板および第１上板の各後端は、前記吸い上げ筒部の外周面のうち前記噴出器本体の前後方向における後端縁よりも前側に位置されてもよい。
この場合、前記カバーを形成する材料の使用量を抑えることが可能になり、トリガー式液体噴出器の高コスト化をより一層確実に抑えることができる。
【０００８】
さらに、前記一対の第１側板における各後端には、互いが対向する方向に向けて一対の後板が突設され、これらの後板、前記一対の第１側板および第１上板は、平板が折り曲げられることにより区画されてもよい。
この場合、噴出器本体の往復ポンプや操作レバー等の各作動機構を確実に保護することが可能になり、このトリガー式液体噴出器の耐久性が低下するのを防ぐことができる。さらに、これらの後板、前記一対の第１側板および第１上板は、平板が折り曲げられることにより区画されているので、前述と同様にトリガー式液体噴出器の高コスト化を抑えることもできる。
【発明の効果】
【０００９】
この発明に係るトリガー式液体噴出器によれば、カバーを形成する材料の削減を図り、かつカバーの外表面に文字や図柄等を容易に付すことができる。
【発明を実施するための最良の形態】
【００１０】
以下、図面を参照し、この発明の実施の形態について説明する。この実施形態に係るトリガー式液体噴出器１０は、噴出器本体１１と、この噴出器本体１１の前端に設けられたノズル１２と、噴出器本体１１を覆うカバー１３と、を備えている。
噴出器本体１１には、その前部に前後方向Ａに揺動可能に垂設された操作レバー１４と、この操作レバー１４の前後動に伴って作動される往復ポンプ１５と、後端に上下方向に沿って延設された吸い上げ筒部１６と、が備えられている。
吸い上げ筒部１６は、下端部に位置する大径部１６ａとこの大径部１６ａから上方に延びる小径部１６ｃとを備える多段状の有頂筒状体とされ、大径部１６ａに容器の口部に取り付けられる装着筒部１７が設けられている。また、吸い上げ筒部１６の大径部１６ａには、装着筒部１７を容器の口部に取り付けた状態で、下端開口部がこの容器内の底部に位置されるパイプ１８が垂設されている。
【００１１】
また、図示の例では、吸い上げ筒部１６の大径部１６ａにおいて装着筒部１７から上方に突出した部分の外周面には、後方に向けて支持板１９が突設されている。なお、この支持板１９の表裏面は、水平方向に沿って延在している。また、支持板１９の表面と、吸い上げ筒部１６の小径部１６ｃの外周面とは、リブ２０を介して連結されている。そして、これらの吸い上げ筒部１６、支持板１９およびリブ２０は一体に形成されている。
【００１２】
以上より、操作レバー１４を前後動させたことによる往復ポンプ１５の作動に伴って容器内からパイプ１８内を通して吸い上げられた内容液が吸い上げ筒部１６内を通ってノズル１２のノズル孔に至り、外部に噴出されるようになっている。ここで、装着筒部１７の外周面を把持してこのトリガー式液体噴出器１０が取り付けられた容器を持ち上げたときに、手の甲において親指と人指し指との間に位置する部分が、支持板１９の裏面に当接することにより、この容器の持ち上げを容易にしてその操作性が向上されるようになっている。
【００１３】
そして、本実施形態では、カバー１３は、噴出器本体１１の両側部を覆う一対の第１側板２１と、これらの第１側板２１を連結し噴出器本体１１の頂部を覆う第１上板２２と、を備えている。
図示の例では、第１側板２１および第１上板２２それぞれの前後方向Ａにおける各長さは、噴出器本体１１の前後方向Ａにおける長さよりも短くなっており、一対の第１側板２１および第１上板２２の各後端は、吸い上げ筒部１６の小径部１６ｃの外周面における後端縁１６ｂよりも前側に位置されて、吸い上げ筒部１６がカバー１３から後方に露呈している。
【００１４】
さらに、本実施形態では、一対の第１側板２１における各後端には、互いが対向する方向に向けて一対の後板２４が突設されている。図示の例では、後板２４の、噴出器本体１１の後側から見た平面視形状は上下方向に長い長方形状とされ、その先端縁は、吸い上げ筒部１６の小径部１６ｃの外周面に当接若しくは近接している。また、一対の第１側板２１における各後端、および一対の後板２４はそれぞれ、吸い上げ筒部１６の小径部１６ｃの外周面において左右方向（トリガー式液体噴出器１０の上面視において前後方向Ａに直交する方向）の外方端１６ｄよりも前側に位置されている。
さらに、一対の第１側板２１それぞれの下部には、後端縁側から前端縁に向かうに従い漸次、この第１側板２１の上下方向の長さを短くさせる切欠き部２１ａが形成されている。この切欠き部２１ａによって、操作レバー１４の上部および往復ポンプ１５の一部が外部に露呈している。
【００１５】
次に、以上のように構成されたトリガー式液体噴出器１０の製造方法について説明する。
まず、平坦な平板の表面に印刷等により文字や図柄等を付した後に、この平板において文字や図柄等が付された部分を打ち抜いて、図３に示されるような、表裏面の全域が平坦なカバー形成部材（平板）Ｗを形成する。なお、前記平板は、例えばシート成形、インジェクション成形またはコンプレッション成形等により形成される。
【００１６】
次に、このカバー形成部材Ｗの裏面に、例えば両面テープを貼着あるいは接着剤を塗布した後に、カバー形成部材Ｗを図３に示す二点鎖線に沿って折り曲げて、一対の後板２４、一対の第１側板２１および第１上板２２を区画してカバー１３を形成する。そして、このカバー１３を、前端にノズル１２が取り付けられた噴出器本体１１に被せて、カバー１３の内面と噴出器本体１１の外面とを接着する。
【００１７】
以上説明したように本実施形態に係るトリガー式液体噴出器１０によれば、平坦なカバー形成部材Ｗが折り曲げられることにより一対の第１側板２１と第１上板２２とが区画されてカバー１３が形成されているので、このカバー１３の形状を単純化することが可能になり、カバー１３を形成する材料の使用量を削減することができるとともに、このように折り曲げる前の平坦な表面に文字や図柄等を付すことが可能になり、この工程に時間や手間がかかるのを抑制することもできる。
したがって、トリガー式液体噴出器１０の低コスト化を図ることができる。
特に、本実施形態では、前述のように打ち抜く前の平板の表面に文字や図柄等を付しているので、この工程に時間や手間がかかるのを一層抑えることができる。
【００１８】
また、本実施形態では、一対の第１側板２１および第１上板２２それぞれの前後方向Ａにおける各長さが、この噴出器本体１１の前後方向Ａにおける長さより短くされ、これらの第１側板２１および第１上板２２の各後端が、吸い上げ筒部１６の後端縁１６ｂよりも前側に位置されているので、カバー１３を形成する材料の使用量を抑えることが可能になり、トリガー式液体噴出器１０の高コスト化をより一層確実に抑えることができる。
【００１９】
さらに、本実施形態では、一対の第１側板２１における各後端には、互いが対向する方向に向けて一対の後板２４が突設されているので、噴出器本体１１の往復ポンプ１５や操作レバー１４等の各作動機構を確実に保護することが可能になり、このトリガー式液体噴出器１０の耐久性が低下するのを防ぐことができる。
しかも、これらの後板２４、一対の第１側板２１および第１上板２２が、平坦なカバー形成部材Ｗが折り曲げられることにより区画されてカバー１３が形成されているので、前述と同様にトリガー式液体噴出器１０の高コスト化を抑えることもできる。
【００２０】
なお、本発明の技術的範囲は前記実施の形態に限定されるものではなく、本発明の趣旨を逸脱しない範囲において種々の変更を加えることが可能である。
例えば、前記実施形態では、カバー１３が、噴出器本体１１の外面に接着されて取り付けられた構成を示したが、これに代えて例えば溶着してもよいし、さらにはカバー１３に係合孔を設ける一方、噴出器本体１１の外面に係合突部を突設し、この係合突部を前記係合孔に係合させることによって、カバー１３を噴出器本体１１に取り付けるようにしてもよい。なお、前記係合孔は、平板を打ち抜いてカバー形成部材Ｗを形成する際に打ち抜いて形成してもよい。
【００２１】
さらに、前述のように平板を打ち抜いてカバー形成部材Ｗを形成する際に、図３の二点鎖線で示されるような折り曲げ予定部分を押圧して溝を刻設してもよい。
また、前記実施形態では、カバー１３に一対の後板２４を設けたが、これらの後板２４は設けなくてもよい。
さらに、前記実施形態では、表面に文字や図柄等が付された平板を打ち抜いてカバー形成部材Ｗを形成したが、これに代えて例えば、インジェクション成形またはコンプレッション成形等によりカバー形成部材Ｗを形成し、その後、このカバー形成部材Ｗの表面に文字や図柄等を付すようにしてもよい。
さらにまた、本発明はカバー１３の表面に文字や図柄等が付されていない構成においても適用可能である。
【００２２】
また、カバー１３に、図４および図５に示されるような、ノズル１２の両側部を覆う一対の第２側板２５と、これらの第２側板２５を連結しノズル１２の頂部を覆う第２上板２６と、を備えるノズルカバー２７を設け、このノズルカバー２７の後端とカバー１３の前端とを破断可能な弱化部２８を介して連結してもよい。
さらに、ノズル１２を、ノズル孔の開位置と閉位置との間で噴出器本体１１に対して移動可能となるように噴出器本体１１の前端に設けてもよい。
以上のトリガー式液体噴出器１０では、カバー１３に弱化部２８を介してノズルカバー２７が連結されているので、ノズル１２を、ノズル孔の開口する開位置に向けて噴出器本体１１に対して移動させたときに、弱化部２８を破断させることが可能になり、このトリガー式液体噴出器１０にバージン機能を具備させることができる。
特に、ノズルカバー２７の内面とノズル１２の外面とは接着せずに、カバー１３の内面と噴出器本体１１の外面とを接着した場合には、一旦弱化部２８が破断されてノズルカバー２７とカバー１３とが分離されると、このノズルカバー２７をノズル１２に再セットしても容易に外れてしまうことになり、バージン機能をより一層向上させることが可能になる。
なお、ノズル１２は、噴出器本体１１に対して、ノズル孔が開口する開位置とノズル孔が閉塞する閉位置との間を回動可能若しくは前後方向Ａに進退可能に設けてもよい。
【００２３】
ここで、ノズルカバー２７が連結されたカバー１３は、次のようにして形成される。
まず、前記実施形態と同様にして、平坦な平板の表面に印刷等により文字や図柄等を付した後に、この平板において文字や図柄等が付された部分を打ち抜いて、図６に示されるような、表裏面において弱化部２８が形成された部分を除く全域が平坦なカバー形成部材Ｗを形成する。なお、この打ち抜き時に弱化部２８を形成する。
【００２４】
そして、このカバー形成部材Ｗの裏面においてカバー１３と対応する部分に、例えば両面テープを貼着あるいは接着剤を塗布した後に、カバー形成部材Ｗを図６に示す２点鎖線に沿って折り曲げて、一対の第１側板２１および一対の第２側板２５と、第１上板２２および第２上板２６と、一対の後板２４と、を区画してノズルカバー２７が弱化部２８を介して連結されたカバー１３を形成する。そして、カバー１３を、前端にノズル１２が取り付けられた噴出器本体１１に被せるとともに、ノズルカバー２７をノズル１２に被せ、ノズルカバー２７の内面とノズル１２の外面とは接着せずに、カバー１３の内面と噴出器本体１１の外面とを接着する。
以上のように、第１側板２１および第２側板２５と、第１上板２２および第２上板２６と、後板２４とが、平坦なカバー形成部材Ｗを折り曲げることにより区画されるので、前記実施形態と同様にトリガー式液体噴出器１０の高コスト化を抑えることもできる。
なお、この実施形態において、ノズルカバー２７の内面とノズル１２の外面とは接着してもよい。
さらにまた、本発明はカバー１３およびノズルカバー２７の各表面に文字や図柄等が付されていない構成においても適用可能である。
【産業上の利用可能性】
【００２５】
カバーを形成する材料の削減を図り、かつカバーの外表面に文字や図柄等を容易に付すことができる。
【図面の簡単な説明】
【００２６】
【図１】本発明に係る一実施形態として示したトリガー式液体噴出器の側面図である。
【図２】図１に示すトリガー式液体噴出器の上面図である。
【図３】図１に示すカバーの展開図である。
【図４】本発明に係る他の実施形態として示したトリガー式液体噴出器の側面図である。
【図５】図４に示すトリガー式液体噴出器の上面図である。
【図６】図４に示すカバーおよびノズルカバーの展開図である。
【符号の説明】
【００２７】
１０  トリガー式液体噴出器
１１  噴出器本体
１２  ノズル
１３  カバー
１４  操作レバー
１５  往復ポンプ
１６  吸い上げ筒部
１６ｂ  吸い上げ筒部の後端縁
２１  第１側板
２２  第１上板
２４  後板
２５  第２側板
２６  第２上板
２７  ノズルカバー
２８  弱化部
Ｗ  カバー形成部材（平板）
【図１】
2008272633.tif 000003
【図２】
2008272633.tif 000004
【図３】
2008272633.tif 000005
【図４】
2008272633.tif 000006
【図５】
2008272633.tif 000007
【図６】
2008272633.tif 000008